(57)【特許請求の範囲】
【請求項１】
動作モードを設定するとともに、設定された動作モードに基づくプリント動作の実行を指示するための操作手段と、
原稿画像データを読み取る原稿画像読取手段と、
前記操作手段からの指示により前記原稿画像読取手段が読み取った画像データをプリントするプリント手段と、
前記操作手段における操作に関わらず、別の処理を実行する非操作処理実行手段とを有する画像形成装置において、
前記非操作処理実行手段による処理の実行を任意の禁止時間だけ禁止し得る禁止手段と、
前記禁止時間がセットされるタイマと、
前記操作手段が操作された後にセットされる第１の禁止時間を、前記プリント手段によるプリント動作終了後にセットされる第２の禁止時間よりも長くするとともに、前記プリント手段によるプリント動作終了したときに既にセットされたタイマがあればそれをリセットして前記第２の禁止時間をセットするように、禁止時間を変更する変更手段と、
を備えたことを特徴とする画像形成装置。
【請求項２】
動作モードを設定するとともに、設定された動作モードに基づくプリント動作の実行を指示するための操作手段と、
原稿画像データを読み取る原稿画像読取手段と、
原稿トレイ上にセットされた原稿束を、順次搬送する原稿搬送手段と、
前記操作手段からの指示により前記原稿画像読取手段が読み取った画像データをプリントするプリント手段と、
前記操作手段における操作に関わらず、別の処理を実行する非操作処理実行手段とを有する画像形成装置において、
前記非操作処理実行手段による処理の実行を任意の禁止時間だけ禁止し得る禁止手段と、
原稿読み取り位置に原稿が手動でセットされた場合の前記プリント手段によるプリント動作終了後の禁止時間を、前記原稿搬送手段により原稿読み取り位置に原稿が自動的にセットされた場合の前記プリント手段によるプリント動作終了後の禁止時間よりも長くするように、禁止時間を変更する変更手段と、
を備えたことを特徴とする画像形成装置。
【請求項３】
外部からの受信データをプリントする機能を有し、前記非操作処理実行手段は、外部装置から指示されたプリント処理を実行することを特徴とする請求項１または２に記載の画像形成装置。
【請求項４】
前記非操作処理実行手段は、この画像形成装置の画像安定化のために一定時間この画像形成装置内の作像部の駆動を実行することを特徴とする請求項１または２に記載の画像形成装置。
【発明の詳細な説明】
【０００１】
【発明の属する技術分野】
本発明は画像形成装置に関する。より詳しくは、外部から受信したデータを一旦メモリに蓄えた後、自動的にプリントアウトするオートプリント機能を有する画像形成装置であって、さらにオペレータが操作パネルを操作してから所定時間経過するまでオートプリントを禁止する機能を持つものに関する。
【０００２】
【従来の技術および発明が解決しようとする課題】
ファクシミリ機能、プリント機能などを有するデジタル複写機では、外部からの受信データを一旦内蔵メモリに蓄えた後、自動的にプリントアウトするオートプリント機能が組み込まれたものが多い。このような複写機はプリンタを通常１つしか備えていないため、このオートプリント機能がオペレータの操作を阻害することのないように、オペレータが操作パネルにおける操作を行った後、一定時間が経過するまではオートプリントを禁止する機能を備えたものが提案されている。
【０００３】
しかしながら、従来のこの種のデジタル複写機は、オペレータが操作を行った後、オートプリントを一定時間禁止するだけであるため、オペレータが操作パネルでコピーモードを設定し、コピースタートした後、コピー終了前にその禁止時間が経過して、オペレータが続けてコピーを行おうとしたとき、オートプリントが始まってしまう（オペレータの操作が阻害される）という問題がある。またコピー動作終了時も、パネル操作があった場合と同様に一定時間のオートプリントを禁止するデジタル複写機も提案されているが、そのようにした場合、オートプリント禁止時間が不必要に継続されて、プリントジョブが滞るという問題がある。
【０００４】
そこで、本発明の目的は、外部からの受信データを一旦内蔵メモリに蓄えた後、自動的にプリントアウトするオートプリント機能を有する画像形成装置であって、オートプリントを適切に禁止できるものを提供することにある。
【００１０】
【課題を解決するための手段】
上記目的を達成するために、請求項１に記載の画像形成装置は、動作モードを設定するとともに、設定された動作モードに基づくプリント動作の実行を指示するための操作手段と、原稿画像データを読み取る原稿画像読取手段と、前記操作手段からの指示により前記原稿画像読取手段が読み取った画像データをプリントするプリント手段と、前記操作手段における操作に関わらず、別の処理を実行する非操作処理実行手段とを有する画像形成装置において、前記非操作処理実行手段による処理の実行を任意の禁止時間だけ禁止し得る禁止手段と、前記禁止時間がセットされるタイマと、前記操作手段が操作された後にセットされる第１の禁止時間を、前記プリント手段によるプリント動作終了後にセットされる第２の禁止時間よりも長くするとともに、前記プリント手段によるプリント動作終了したときに既にセットされたタイマがあればそれをリセットして前記第２の禁止時間をセットするように、禁止時間を変更する変更手段と、を備えたことを特徴とする。
【００１３】
この種の画像形成装置の使い方としては、操作手段が操作された後はこの操作手段における操作（プリント動作の実行の指示など）が行われる可能性が高く、プリント手段によるプリント動作終了後は前記操作手段における操作が行われる可能性が低いのが実情である。そこで、この請求項１の画像形成装置では、前記変更手段は、前記操作手段が操作された後にセットされる第１の禁止時間を、前記プリント手段によるプリント動作終了後にセットされる第２の禁止時間よりも長くする。これにより、操作手段における操作が行われる可能性が高いときに、非操作処理の実行が比較的長時間禁止される。一方、操作手段における操作が行われる可能性が低いときに、非操作処理実行手段によるオートプリントのような処理（これを「非操作処理」という。）の実行が比較的短時間で可能となる。これとともに、前記変更手段は、前記プリント手段によるプリント動作終了したときに既にセットされたタイマがあればそれをリセットして前記第２の禁止時間をセットするように、禁止時間を変更する。したがって、前記プリント手段によるプリント動作終了後に禁止時間が適切に変更される。
このようにして、この画像形成装置によれば、非操作処理の実行が適切に禁止される。すなわち、オペレータが続けて操作手段における操作を行おうとしたとき、既に禁止時間が経過しているため非操作処理の実行が始まってしまうような事態を効果的に防止できる。したがって、オペレータの操作が阻害されることがない。また、オペレータが続けて操作手段におけるコピーを行わない場合に、非操作処理の実行の禁止が不必要に継続されることがない。したがって、非操作処理が滞ることもない。
【００１４】
また、請求項２に記載の画像形成装置は、動作モードを設定するとともに、設定された動作モードに基づくプリント動作の実行を指示するための操作手段と、原稿画像データを読み取る原稿画像読取手段と、原稿トレイ上にセットされた原稿束を、順次搬送する原稿搬送手段と、前記操作手段からの指示により前記原稿画像読取手段が読み取った画像データをプリントするプリント手段と、前記操作手段における操作に関わらず、別の処理を実行する非操作処理実行手段とを有する画像形成装置において、前記非操作処理実行手段による処理の実行を任意の禁止時間だけ禁止し得る禁止手段と、原稿読み取り位置に原稿が手動でセットされた場合の前記プリント手段によるプリント動作終了後の禁止時間を、前記原稿搬送手段により原稿読み取り位置に原稿が自動的にセットされた場合の前記プリント手段によるプリント動作終了後の禁止時間よりも長くするように、禁止時間を変更する変更手段と、を備えたことを特徴とする。
【００１５】
この種の画像形成装置の使い方としては、原稿読み取り位置に原稿が手動でセットされた場合の前記プリント手段によるプリント動作終了後はこの操作手段における操作が行われる可能性が高く、原稿読み取り位置に原稿が手動でセットされた場合の前記プリント手段によるプリント動作終了後は前記操作手段における操作が行われる可能性が低いのが実情である。そこで、この請求項２の画像形成装置では、前記変更手段は、原稿読み取り位置に原稿が手動でセットされた場合の前記プリント手段によるプリント動作終了後の禁止時間を、前記原稿搬送手段により原稿読み取り位置に原稿が自動的にセットされた場合の前記プリント手段によるプリント動作終了後の禁止時間よりも長くする。これにより、操作手段における操作が行われる可能性が高いときに、非操作処理の実行が比較的長時間禁止される。一方、操作手段における操作が行われる可能性が低いときに、非操作処理の実行が比較的短時間で可能となる。
このようにして、この画像形成装置によれば、非操作処理の実行が適切に禁止される。すなわち、オペレータが続けて操作手段における操作を行おうとしたとき、既に禁止時間が経過しているため非操作処理の実行が始まってしまうような事態を効果的に防止できる。したがって、オペレータの操作が阻害されることがない。また、オペレータが続けて操作手段におけるコピーを行わない場合に、非操作処理の実行の禁止が不必要に継続されることがない。したがって、非操作処理が滞ることもない。
【００１６】
また、請求項３に記載の画像形成装置は、請求項１または２に記載の画像形成装置において、外部からの受信データをプリントする機能を有し、前記非操作処理実行手段は、外部装置から指示されたプリント処理を実行することを特徴とする。
【００１７】
この請求項３の画像形成装置によれば、前記非操作処理実行手段によって外部からの受信データがプリントされる。
【００１８】
また、請求項４に記載の画像形成装置は、請求項１または２に記載の画像形成装置において、前記非操作処理実行手段は、この画像形成装置の画像安定化のために一定時間この画像形成装置内の作像部の駆動を実行することを特徴とする。
【００１９】
この請求項４の画像形成装置によれば、前記非操作処理実行手段によって一定時間この画像形成装置内の作像部が駆動されて、この画像形成装置の画像が安定化される。
【００２４】
【発明の実施の形態】
以下、この発明の画像形成装置の実施の形態を詳細に説明する。
【００２５】
ファクシミリ機能を有する一実施形態のデジタル複写機について、（１）全体構成と各部の構成と動作の概要、（２）制御部の構成と動作の概要、（３）各動作モードにおける複写機全体の動作シーケンス、（４）各ＣＰＵの制御フローの概要の順で説明する。
【００２６】
（１）全体構成と各部の構成と動作の概要
図１はファクシミリ機能を有するデジタル複写機１の概略構成を示す模式的断面図である。デジタル複写機１は、大きくは、原稿搬送手段としての原稿給送装置ＡＤＦと、原稿画像読取手段としての画像読取装置ＩＲと、プリント手段としてのプリンタ装置ＰＲと、ファクシミリ送受信装置ＦＡＸと、操作手段としての操作入力装置ＯＰ（紙面に垂直方向に設置）とを備えている。これらは、各部、あるいは全体を制御する制御部２００によってコントロールされている。
【００２７】
コピー動作について概略を説明する。操作入力装置ＯＰを介して操作が本複写機に入力される。原稿給送装置ＡＤＦは、コピーされる原稿を１枚ずつ画像読取装置ＩＲにセットする。その後、画像読取装置ＩＲは、セットされた原稿の画像を読み取り、画像データを発生させる。続いて、プリンタ装置ＰＲは、画像読取装置ＩＲからの画像データを受け取り、用紙上に画像をプリントする。
【００２８】
次に、ファクシミリ送信動作について概略を説明する。操作入力装置ＯＰを介して操作が本複写機に入力される。原稿給送装置ＡＤＦは、ファクシミリ送信される原稿を１枚ずつ画像読取装置ＩＲにセットする。その後、画像読取装置ＩＲは、セットされた原稿の画像を読み取り、画像データを発生させる。続いて、ファクシミリ送受信装置ＦＡＸは、画像読取装置ＩＲから画像データを受け取り、電話回線（ＰＳＴＮ）に画像データを送信する。
【００２９】
ファクシミリ受信動作について概略を説明する。ファクシミリ送受信装置ＦＡＸは、電話回線（ＰＳＴＮ）から受信された画像データを受け取る。続いて、画像読取装置ＩＲは、画像データを一時記憶する。その後、プリンタ装置ＰＲは、画像読取装置ＩＲからの画像データを受け取り、用紙上に画像をプリントする。これらのファクシミリ送受信装置ＦＡＸ、画像読取装置ＩＲおよびプリンタ装置ＰＲが非操作処理実行手段として働く。
【００３０】
原稿給送装置ＡＤＦは、デジタル複写機１上部に設けられており、原稿載置トレイ５１と、ピックアップローラ５２と、さばきローラ５３と、さばきパッド５４と、レジスタローラ５５と、搬送ベルト５６と、反転ローラ５７と、排紙トレイ５８と、センサＳＥ３、ＳＥ４とから構成される。
【００３１】
原稿載置トレイ５１には、複写する画像面を上向きにして、複数枚の原稿が積層状態で載置可能である。載置された原稿は、最下層のものから１枚ずつピックアップローラ５２によって給紙され、さばきローラ５３とさばきパッド５４でさばかれた後に搬送路に沿って反転される。反転された原稿はレジスタローラ５５を介して、画像読取装置ＩＲの原稿載置台１８上に搬送されてセットされ、画像読取装置ＩＲによってその画像を読み取られる。読み取り終了後、原稿は、搬送ベルト５６によって搬送され、反転ローラ５７を経て、排紙トレイ５８上に排出される。
【００３２】
両面原稿にあっては、原稿は、反転ローラ５７の周囲を１回転して原稿載置台１８上へ戻される。そのため、搬送ベルト５６は正逆回転可能とされている。
【００３３】
また、センサＳＥ３は、原稿載置トレイ５１上に原稿がセットされたか否かを検出する。原稿が画像読取装置ＩＲの原稿載置台１８に至る搬送路の途中に、センサＳＥ４はあり、搬送される原稿の検出時間によって原稿のサイズおよび向きを、センサＳＥ４は検出する。
【００３４】
なお、ここで原稿の給送方向に原稿の長辺を平行にセットした状態を縦向き、垂直にセットした状態を横向きと定義する。
【００３５】
原稿給送装置ＡＤＦを用いることなくコピーを行うことも可能である。この場合は、オペレータが原稿給送装置ＡＤＦを開状態にして手動で原稿を１枚ずつ、画像読取装置ＩＲの原稿載置台１８上にセットする。その後、オペレータは原稿給送装置ＡＤＦを閉状態にしてコピーを実行する。
【００３６】
この場合であっても、画像読取装置ＩＲの原稿載置台１８上に載置された原稿のサイズおよび向きは識別可能となるように構成されている。搬送ベルト５６の外周面（画像読取装置ＩＲの原稿載置台１８に対する面）は、橙色に着色されている。画像読取装置ＩＲの露光ランプ１２による搬送ベルト５６の反射光は、画像読取装置ＩＲのラインセンサ１７にとっては分光感度が小さい色になるので、画像読取装置ＩＲの原稿載置台１８のどの領域に原稿が載置されたかが識別可能となる。これにより、原稿のサイズと向きとが検出可能である。
【００３７】
画像読取装置ＩＲは、原稿画像を走査して画像データを発生する走査光学系１０と、走査光学系１０から送信される画像データを処理する画像データ処理ユニット２０と、画像データ処理ユニット２０から送信される画像データを印字データとしてそのままプリンタ装置ＰＲに出力するか、メモリに一旦記憶するかなどの切換えを行って、印字データを記憶するメモリユニット３０とから構成される。
【００３８】
走査光学系１０は、第１スキャナ１１と、露光ランプ１２と、第２スキャナ１３と、第１ミラー１４ａと、第２ミラー１４ｂ、１４ｃと、結像レンズ１５と、ミラー１６と、ラインセンサ１７と、原稿載置台１８と、モータＭ２とから構成される。
【００３９】
露光ランプ１２と第１ミラー１４ａとは、第１スキャナ１１によって保持され、第２ミラー１４ｂ、１４ｃは、第２スキャナ１３によって保持されている。ラインセンサ１７は、複数の撮像素子をライン上に配列したＣＣＤからなる。第１スキャナ１１と第２スキャナ１４とは、それぞれモータＭ２によって駆動され、原稿載置台１８の真下のラインセンサ１７のＣＣＤの配列方向（主走査方向）に直行する矢印ｂ方向（副走査方向）に移動する。この移動により、原稿載置台１８上にセットされた原稿画像が走査され、読み取られる。
【００４０】
画像データ処理ユニット２０と、メモリユニット３０とについては、制御部２００との関連が深いので、「（２）制御部の構成と動作の概要」にて、説明する。
【００４１】
プリンタ装置ＰＲは、画像読取装置ＩＲのメモリユニット３０から送信される印字データに基づいて光学系６０を駆動する印字処理ユニット４０と、印字処理ユニット４０により、印字データを有するレーザビームを照射する光学系６０と、光学系６０で照射されたレーザビームの用紙への作像プロセスを行う作像系７０と、作像系７０へまたは作像系７０から用紙を搬送する用紙搬送系８０とから構成される。
【００４２】
印字処理ユニット４０は、画像読取装置ＩＲのメモリユニット３０から印字データを受け取る。この印字データに基づいて、印字処理ユニット４０は、光学系６０で照射されるレーザビームの制御を行う。
【００４３】
光学系６０は、半導体レーザ６１と、ポリゴンミラー６２と、Ｆθレンズ６３と、ミラー６４ａ、６４ｂ、６４ｃとから構成される。
【００４４】
半導体レーザ６１は、印字処理ユニット４０によって変調（オン、オフ）制御される。ポリゴンミラー６２は、半導体レーザ６１から照射されたレーザビームを偏向し原稿を走査する。Ｆθレンズ６３は、偏向されたレーザビームの歪曲収差等を補正する。ミラー６４ａ、６４ｂ、６４ｃは、このようにして得られたレーザビームを作像系７０へ導く。
【００４５】
作像系７０は、感光体ドラム７１と、帯電チャージャ７２と、現像器７３と、転写チャージャ７４と、用紙分離チャージャ７５と、クリーナ７６と、イレーサランプ７７とから構成される。
【００４６】
光学系６０から照射される、印字データに応じて変調されたレーザビームは、帯電チャージャ７２で一様に帯電された感光体ドラム表面をライン状に走査し、感光体ドラム７１表面に現像画像に対応した静電潜像を形成する。こうして形成された静電潜像は、現像器７３によって現像され、後述する用紙搬送系８０によって搬送される用紙上に転写チャージャ７４によって転写される。転写後の感光体ドラム７１表面は、クリーナ７６によってクリーニングされ、イレーサランプ７７で残留電荷をイレースされ、次の原稿画像に備える。
【００４７】
用紙搬送系８０は、給紙カセット８１ａ、８１ｂと、給紙ローラ８２ａ、８２ｂと、用紙搬送路８３と、タイミングローラ８４と、搬送ベルト８５と、定着器８６と、排出ローラ８７と、給紙トレイ８８と、センサＳＥ１、ＳＥ２と、モータＭ１とから構成される。
【００４８】
給紙カセット８１ａ、８１ｂ内の用紙は、給紙ローラ８２ａ、８２ｂによって順次１枚ずつ給紙され、用紙搬送路８３に沿ってタイミングローラ８４まで搬送される。タイミングローラ８４は、作像系７０の感光体ドラム７１上に形成された画像と同期をとって作像系７０の感光体ドラム７１と転写チャージャ７４との間の転写部へ用紙を送り出す。画像が転写された用紙は、搬送ベルト８５によって、定着器８６へと送り込まれ、定着器８６で画像が定着された後、排出ローラ８７によって排出トレイ８８上に排出される。メインモータＭ１は、用紙搬送系８０と作像系７０の感光体ドラムとを駆動する。
【００４９】
絵紙カセット８１ａ、８１ｂは、Ｂ５およびＡ４サイズの用紙をそれぞれ縦向き横向きの両方向に、Ｂ４サイズおよびＡ３サイズの用紙を縦向きに収容可能である。これらの中でいずれかのサイズの用紙がいずれかの向きで給紙カセット８１ａ、８１ｂに積層状態で収容される。収容された用紙のサイズおよび向きは、センサＳＥ１、ＳＥ２によって検出される。
【００５０】
なお、ここで用紙の給送方向に用紙の長辺を平行にセットした状態を縦向き、垂直にセットした状態を横向きと定義する。
【００５１】
ファクシミリ送受信装置ＦＡＸは、ファクシミリ変換ユニット９０とＧ３ユニット１００とから構成される。これらについては、制御部との関連が深いので、「（２）制御部の構成と動作の概要」にて説明する。
【００５２】
図２は、デジタル複写機１の上面に設けられる操作入力装置ＯＰの平面図である。操作入力装置ＯＰは、液晶タッチパネル１１１と、テンキ−１１２と、クリアキー１１３と、リセットキー１１４と、ストップキー１１５と、スタートキー１１６と、割込キー１１７と、アプリケーション切換キー１１８と、表示部１１９ａ、１１９ｂとから構成される。
【００５３】
液晶タッチパネル１１１は、露光レベル、複写倍率、記録紙サイズなどの複写機の動作状態、ジャムの発生、サービスマンコールの発生、ペーパーエンプティ発生などの複写機の各種の異常状態、相手先ファクシミリ番号、送信解像度、ポーリングなどのファクシミリモードや通信中のファクシミリの動作状態、その他の情報を表示する。
【００５４】
また、液晶タッチパネル１１１を用いて濃度、複写倍率、記録紙等の複写動作および送信解像度等の自動選択モードを指定する入力ができる。
【００５５】
テンキー１１２は、複写枚数などの置数や複写倍率、相手方のファクシミリ番号等を入力するのに用いられ、クリアキー１１３は、置数等を標準値“１”に戻すのに用いられ、リセットキー１１４は、デジタル複写機内部に設定された設定値を標準値に戻すのに用いられる。
【００５６】
また、ストップキー１１５は、コピー動作およびファクシミリ動作を中止させるのに用いられ、スタートキー１１６は、コピー動作およびファクシミリ動作を開始させるのに用いられ、割込キー１１７は、オートプリント中に割込んでコピーやマニュアルプリント等を行うのに用いられる。
【００５７】
さらに、操作パネルＯＰには、ファクシミリモードとコピーモードとを切換えるアプリケーション切換キー１１８が設けられ、併せて、ファクシミリモードが選択されていることを表示する表示部１１９ａとコピーモードが選択されていることを表示する表示部１１９ｂなどが設けられている。
【００５８】
（２）制御部の構成と動作の概要
図３は、デジタル複写機１の制御部２００の構成を示すブロック図である。制御部２００は４個のＣＰＵ２０１〜ＣＰＵ２０４を中心に構成される。これらのＣＰＵ２０１〜ＣＰＵ２０４には、それぞれプログラムを格納したＲＯＭ２１１〜ＲＯＭ２１４および作業エリアとなるＲＡＭ２２１〜ＲＡＭ２２４などが接続されている。
【００５９】
また、これらのＣＰＵ２０１〜ＣＰＵ２０４は、コマンドライン上で相互に接続されており、必要なコマンド情報の交換が行われるように構成されている。なお、画像データの入出力は、画像データラインを通して行われるが、このとき各部は、それぞれのＢＵＳ  ＳＷ（バススイッチ）２５１〜２５４を介して、画像データラインに接続される。
【００６０】
さらに、各ＣＰＵには、次に示すものが接続されている。ＣＰＵ２０１には、Ｉ／Ｏインタフェース２３１を介して操作入力装置ＯＰのＬＣＤとＬＥＤと操作キーとが接続されている。また、ＮＶＲＡＭ（不揮発性ＲＡＭ）２２７が接続されている。ＣＰＵ２０２には、Ｉ／Ｏインタフェース２３２を介して画像読取装置ＩＲのスキャナモータＭ２が接続されている。また、ラインセンサ１７上のＣＣＤから画像データを入力する画像データ処理ユニット２０が接続されている。ＣＰＵ２０３には、Ｉ／Ｏインタフェース２３３を介してプリンタ装置ＰＲのメインモータＭ１とクラッチとセンサＳＥ１、ＳＥ２とが接続されている。また、半導体レーザ６１へ画像データを出力する印字処理ユニット４０が接続されている。ＣＰＵ２０４には、Ｉ／Ｏインタフェース２３４が接続されている。また、メモリユニット３０内の画像メモリ２２５と符号メモリ２２６、ファクシミリ変換ユニット９０、ＴＩＭＥＲ２４０、電話回線（ＰＳＴＮ）、Ｇ３ユニット１００が接続されている。
【００６１】
次に、各ＣＰＵの動作について説明する。ＣＰＵ２０１は、Ｉ／Ｏインタフェース２３１を介して、操作入力装置ＯＰの各種操作キーからの入力および表示部への表示出力の制御を実行する。なお、操作パネルＯＰの初期モード設定、トータルカウンタ、項目別カウンタおよび暗証番号はＮＶＲＡＭ２２７に保存される。
【００６２】
ＣＰＵ２０２は、Ｉ／Ｏインタフェース２３２を介して、画像読取装置ＩＲの画像データ処理ユニツト２０の各部の制御と、走査光学系１０および原稿給送装置ＡＤＦの駆動制御を行う。
【００６３】
ＣＰＵ２０３は、Ｉ／Ｏインタフェース２３３を介して、プリンタ装置ＰＲの印字処理ユニット４０、光学系６０および作像系７０の制御を行う。
【００６４】
ＣＰＵ２０４は、Ｉ／Ｏインタフェース２３４を介して、制御部２００の全体的なタイミング調整や動作モードの設定のための処理を行う。また、ＣＰＵ２０４は、メモリユニット３０を制御することによって、読み取った画像データを画像メモリ２２５および符号メモリ２２６に一時格納する。コピーモード時には、格納された画像データが読み出され、プリンタ装置ＰＲの印字処理ユニットへ出力される。ファクシミリモード時にて、ファクシミリ送信の際は、画像データは、ファクシミリ送受信装置ＦＡＸのファクシミリ変換ユニット９０に出力された後、Ｇ３ユニット１００を介して、電話回線（ＰＳＴＮ）へ出力される。また、ファクシミリモード時にて、ファクシミリ受信の際は、電話回線（ＰＳＴＮ）からの画像データがＧ３ユニット１００に受信され、ファクシミリ変換ユニット９０を介して、画像メモリ２２５および符号メモリ２２６に一時格納される。格納された画像データは読み出され、プリンタ装置ＰＲの印字処理ユニットへ出力される。
【００６５】
また、ファクシミリモード時には、ＣＰＵ２０４は、ファクシミリ変換ユニット９０の制御を行うことによって、メモリユニット３０とＧ３ユニット１００との間での画素密度変換処理等のデータ変換を行う。
【００６６】
次に各ＣＰＵと関連の深い各部について説明する。
【００６７】
まず、画像データ処理ユニット２０について説明する。画像データ処理ユニット２０は、Ａ／Ｄ変換器、シェーディング補正部、変倍処理部および画質補正部等から構成される。画像データ処理ユニット２０は、走査光学系１０のラインセンサ１７から出力される画像信号を処理して、メモリユニット３０に対して画像データを出力する。ラインセンサ１７から入力される画像信号は、画像処理ユニット２０でＡ／Ｄ変換され、画素ごとに８ビットの画像データに量子化される。さらにシェーディンク補正、変倍処理および画質補正等の種々の処理が施された後、画像データとして出力される。
【００６８】
メモリユニット３０について説明する。メモリユニット３０は、切換部とＣＰＵ２０４とからのパラメータ設定に基づいて二値データを作成する二値化処理部、４００ｄｐｉでＡ４サイズの２頁分の容量を有するマルチポートの画像メモリ２２５、それぞれ独立に動作可能な圧縮器と伸長器とを有する符号処理部、マルチポートを有する符号メモリ２２６、および、回転処理部とＣＰＵ２０４とからのパラメータ設定に基づいて多値データを作成する多値化処理部などから構成される。ＣＰＵ２０４はこれらの全体を制御する。
【００６９】
ファクシミリ変換ユニット９０について説明する。ファクシミリ変換ユニット９０は、メモリユニット３０とＧ３ユニット１００との間に位置し、送信および受信時の画像情報の形式の変換を行う。画像情報の形式の変換とは、
（ａ）  画像データの画素密度変換、
（ｂ）  画像データの拡大・縮小、
（ｃ）  符号データのビット幅変換、
（ｄ）  符号データの符号化方式変換
のような変換である。これらの処理はＣＰＵ２０４により制御される。
【００７０】
（３）各動作モードにおける複写機全体の動作シーケンス
以下、各動作モードにおける複写機全体の動作シーケンスについて説明する。なお、ＣＰＵ２０１〜ＣＰＵ２０４の間で送受信される要求、回答などのコマンド、またはデータの流れを中心に説明し、重要でない要求、回答などのコマンドについては説明を省略する。
【００７１】
（３−１）コピーモードにおける動作シーケンス
コピー動作においては、画像読取装置ＩＲで読み取られた画像データは、画像メモリ２２５に一旦書き込まれ、この画像メモリ２２５から印字処理ユニット４０に出力されてプリントされる。
【００７２】
図４はコピーモードにおける動作シーケンスを示す図である。詳細には、図４を参照して、以下のようになる。コピーモードにおいて、スタートキー１１６を押すことによって、ＣＰＵ２０１からＣＰＵ２０４に対し、コピー動作要求が出される。これを受けてＣＰＵ２０４からＣＰＵ２０２に対してスキャン要求が出される。これにより、ＣＰＵ２０２は、スキャンを開始して、原稿の画像領域に達すると、設定された画像処理モードに応じた画像処理を行い、処理された画像データがメモリユニット３０に出力され、画像メモリ２２５に格納される。
【００７３】
スキャンによる原稿画像の読み取りが終了すると、ＣＰＵ２０２からＣＰＵ２０４に対してスキャン終了回答が出され、その後、ＣＰＵ２０４からＣＰＵ２０３に対して印字要求が出される。これによりＣＰＵ２０４が、コピーするための画像データを画像メモリ２２５から読み出し、印字処理ユニット４０に画像データを出力する。印字処理ユニット４０は、この出力された画像データのプリントを開始する。プリントが終了すると、ＣＰＵ２０３からＣＰＵ２０４に対して印字処理回答が出され、ＣＰＵ２０４は画像メモリ２２５をクリアし、ＣＰＵ２０１に対してコピー終了回答を出して、動作を終了する。また、原稿給送装置ＡＤＦを用いた場合は、上記スキャン要求から画像メモリ２２５のクリアまでの処理を原稿分だけ繰り返して行い、すべての原稿に対してこの処理が終了したとき、ＣＰＵ２０１に対してＡＤＦを用いたコピーが終了したことを表すコピー終了回答を出す。
【００７４】
（３−２）ファクシミリ送信動作における動作シーケンス
ファクシミリ送信動作においては、画像読取装置ＩＲで読み取られた画像データは、画像メモリ２２５に一旦書き込まれ、圧縮処理が施されて符号メモリ２２６に格納された後に、ファクシミリ変換ユニット９０でデータ変換されて画像データが送信される。
【００７５】
（３−３）ファクシミリ受信モードにおける動作シーケンス
ファクシミリ受信動作においては、受信された画像データは、ファクシミリ変換ユニット９０でデータ変化されて符号メモリ２２６に格納され、伸長処理が施されて、画像メモリ２２５に書き込まれる。その後、ＣＰＵ２０１に画像の出力が要求され、これが許可されると、画像データは、プリンタ装置ＰＲに読み出され、プリントされる。
【００７６】
図５は、ファクシミリ受信モードにおける動作シーケンスを示す図である。詳細には、図５を参照して、以下のようになる。発呼送信側からの着呼要求がＣＰＵ２０４になされると、ＣＰＵ２０４は回線接続を行う。次にＣＰＵ２０４は、符号化方式、受信倍率、受信画像１ラインの画素数、入力画像１ラインの画素数、ラインエラー最大許容ライン数などの画像受信モードの設定を行う。
【００７７】
符号メモリ２２６の受信準備が完了すると、発呼送信側から送出された画像データは、Ｇ３ユニット１００内のモデムにより復調され、ファクシミリ変換ユニット９０でデータ変換された後、符号メモリ２２６に格納される。画像データの受信が終了すると、ＣＰＵ２０４は回線切断処理を行う。
【００７８】
その後、ＣＰＵ２０４からＣＰＵ２０１に対して画像出力要求が出される。操作入渡置ＯＰを管理しているＣＰＵ２０１は、プリント許可状態であるかどうかの判断を行い、プリント許可状態であれば画像出力許可をＣＰＵ２０４に出力する。この許可に基づいて、ＣＰＵ２０４からＣＰＵ２０３に対して印字要求が出される。ＣＰＵ２０４が印字要求を出すと、ＣＰＵ２０４は符号データを伸長処理する。符号データの伸長処理によって得られた画像データは、画像メモリ２２５へ書き込まれる。この画像メモリ２２５から読み出された画像データは、プリンタ装置ＰＲに出力され、プリントが行われる。プリントが終了すると、ＣＰＵ２０３からＣＰＵ２０４に対して印字終了回答が出される。これを受けて、ＣＰＵ２０４はメモリをクリアして動作を終了する。
【００７９】
（４）各ＣＰＵの制御フローの内容
次にＣＰＵ２０１〜ＣＰＵ２０４が行う制御フローの概要を説明する。これら４個のＣＰＵは、コマンドの送受信に関する処理以外は、互いに独立に動作する。
【００８０】
（４−１）ＣＰＵ２０１の制御フロー
操作入力装置ＯＰに対するＣＰＵ２０１の制御の流れを表すフローチャートを図６および図７に示す。なお、これらの図中の▲１▼，▲２▼，▲３▼は接続端子である。操作入力装置ＯＰでは、本複写機の電源投入後、初期設定ルーチン（Ｓ７０１）で、ＲＯＭ２１１に保存されたパネル表示プログラムとＮＶＲＡＭ２２７に保存された初期表示モードおよび標準動作モード（初期モード）のデータが読み込まれる。これにより、操作入力装置ＯＰに初期画面が表示されるとともに、動作モードが初期化（オートクリア）される（Ｓ７０２）。次に、ＣＰＵ２０１は、オートプリント禁止フラグを０（オートプリントを許可することを表す値）にセットする（Ｓ７０３）。次に、プリンタ装置ＰＲの稼働状態をＣＰＵ２０４より受信し、プリンタ装置ＰＲが動作中である場合は（Ｓ７０４でＹＥＳ）、ストップキーの受け付けなどの必要最小限のキー入力に対応した処理を行った後（Ｓ７２５）、再びプリンタ装置ＰＲの稼働状態の判断（Ｓ７０４）に戻る。プリンタ装置ＰＲが動作中でなければ（Ｓ７０４でＮＯ）、待機中のキー入力処理（Ｓ７０５）を実行する。
【００８１】
キー入力処理（Ｓ７０５）の結果、キー入力処理があった場合（Ｓ７０６）、そのキー入力が、コピー関連の操作であるか否か（Ｓ７０７）、およびプリント関連の操作であるか否か（Ｓ７０８）を判定する。ここにいうプリントとは、本複写機内で独立に作成された通信管理レポートをマニュアル操作にて出力させること等である。キー入力がコピー関連、プリント関連のいずれかの操作であると判定されたとき（Ｓ７０７、Ｓ７０８でそれぞれＹＥＳ）、それぞれの操作入力装置ＯＰの表示部に関する処理、ＣＰＵ２０４への要求に関する処理等を行い（Ｓ７０９、Ｓ７１０）、オートプリント禁止フラグを１（オートプリントを禁止することを表す値）にセットする（Ｓ７１２）。キー入力がコピー関連、プリント関連以外、すなわちファクシミリ送信関連等の操作のときは（Ｓ７０７、Ｓ７０８でいずれもＮＯ）、その表示部に関する処理、ＣＰＵ２０４への要求に関する処理等（Ｓ７１１）の後、オートプリントフラグに０をセットする（Ｓ７１３）。オートプリントフラグが１か０かにセットされた後、タイマ＃３をセットする（Ｓ７１４）。
【００８２】
一方、キー入力がなかった場合（Ｓ７０６でＮＯ）は、次のコマンド入力（Ｓ７１５）へジャンプする。コマンド入力（Ｓ７１５）によってＣＰＵ２０４からの要求及び回答がＣＰＵ２０１に取り込まれる。画像出力要求を受け（Ｓ７１６でＹＥＳ）、さらにオートプリント禁止フラグが０であるならば（Ｓ７１７でＹＥＳ）、画像出力許可をＣＰＵ２０４に送る（Ｓ７１８）。画像出力要求が出されていないとき（Ｓ７１６でＮＯ）、または、オートプリント禁止フラグが０でないとき（Ｓ７１７でＮＯ）は、画像出力許可の処理（Ｓ７１８）はスキップされる。
【００８３】
次に、コマンド入力（Ｓ７１５）によってコピー終了回答が取り込まれた場合（Ｓ７１９でＹＥＳ）、既にセットされたタイマがあれば、それをリセットし、終了したコピー動作が原稿給送装置ＡＤＦを用いたものかどうかにより（Ｓ７２０）、ＡＤＦを使用したものであれば、タイマ＃１をセットし（Ｓ７２１）、ＡＤＦを使用したものでなければ、タイマ＃２をセットし（Ｓ７２２）、オートプリント禁止フラグを１にセットする（Ｓ７２３）。その後、セットされたタイマの計時が終了しているか否かを判断して（Ｓ７２４）、タイマの計時が終了していれば表示画面および動作モードの初期化ルーチン（Ｓ７０２）に戻る一方、タイマの計時が終了していなければプリンタ装置ＰＲの稼働状態の判断（Ｓ７０４）に戻って、それぞれ後続の処理を繰り返す。
【００８４】
ここでタイマ＃１〜３の各設定時間Ｔ１，Ｔ２，Ｔ３の長さは、
Ｔ１＜Ｔ２＜Ｔ３
の順に設定されている。この結果、ここで述べたＣＰＵ２０１の処理によって、本複写機では、コピー終了後、続けてコピー操作を行う可能性が最も高いと考えられるパネル操作後のオートプリント禁止時間Ｔ３が最も長くなる。したがって、オペレータが続けてコピーを行おうとしたとき、既にオートプリント禁止が解除されていたためオートプリントが始まってしまうような事態を効果的に防止できる。したがって、オペレータの操作が阻害されることがない。逆に、続けてコピー操作を行う可能性が最も低いと考えられる原稿給送装置ＡＤＦを使用したコピー終了後のオートプリント禁止時間Ｔ１が最も短くなる。したがって、オペレータが続けてコピーを行わない場合に、オートプリント禁止が不必要に継続されることがない。したがって、プリントジョブの滞りを防止できる。また、続けてコピー操作を行う可能性が中程度であると考えられる原稿手置きによるコピー終了後のオートプリント禁止時間Ｔ２はＴ１とＴ３との間の長さとなる。このように本複写機では、オートプリントを適切に禁止することができる。
【００８５】
これと同様に、コピー終了後、続けてコピー操作を行う可能性が最も高いと考えられるパネル操作時のオートクリア作動時間Ｔ３が最も長くなる。したがって、オペレータが続けて別の動作モードでコピーを行おうとしたとき、モード設定操作の途中でオートクリア機能が働いてしまうような事態を効果的に防止できる。したがって、オペレータの操作が阻害されることがない。逆に、続けてコピー操作を行う可能性が最も低いと考えられる原稿給送装置ＡＤＦを使用したコピー終了後のオートクリア作動時間Ｔ１が最も短くなる。したがって、或るオペレータが動作モードを標準モードから別のモードに変更してコピーを終了した後、次のオペレータが続けてコピーを行う場合に、意図しない動作モードでコピー（失敗コピー）するのを効果的に防止できる。また、続けてコピー操作を行う可能性が中程度であると考えられる原稿手置きによるコピー終了後のオートクリア作動時間Ｔ２はＴ１とＴ３との間の長さとなる。このように本複写機では、オートクリア機能を適切に作動させることができる。
【００８６】
（４−２）ＣＰＵ２０２の制御フロー
スキャナ部（画像処理部２０および走査光学系１０）に対するＣＰＵ２０２の制御の流れを表すフローチャートを図８に示す。スキャナ部では、電源投入後、ＲＯＭ２１２に登録されたプログラムにより初期化が行われる（Ｓ８０１）。その後、ＣＰＵ２０２からのコマンド待ちの状態になる（Ｓ８０２、Ｓ８０３）。ＣＰＵ２０４からのコマンドが入力され（Ｓ８０２）、スキャン要求分岐（Ｓ８０３）でスキャン要求が検出されれば（Ｓ８０３でＹＥＳ）、スキャン制御／画像処理ルーチン（Ｓ８０４）に入る。スキャン要求がなければ（Ｓ８０４でＮＯ）、コマンド待ちの状態が維持される（Ｓ８０２）。スキャン制脚／画像処理ルーチン（Ｓ８０４）では、ＣＰＵ２０４からのスキャン要求とともに送られた解像度や階調性などの画像読取モードでスキャンおよび画像処理が行われる。その後、画像データがＣＰＵ２０４へ送られた後、ＣＰＵ２０４へスキャン終了回答が送られる。これらの処理の後、再びコマンド持ちの状態となる（Ｓ８０２）。
【００８７】
（４−３）ＣＰＵ２０３の制御フロー
印字部（印字処理ユニット４０、光学系６０および作像系７０）に対するＣＰＵ２０３の制御の流れを表すフローチャートを図９に示す。印字部では、電源投入後、ＲＯＭ２１３に登録されたプログラムによる初期化が行われる（Ｓ９０１）。その後、ＣＰＵ２０４からのコマンド待ちの状態になる（Ｓ９０２、Ｓ９０３）。ＣＰＵ２０４からのコマンドが入力され（Ｓ９０２）、印字要求分岐（Ｓ９０３）で印字要求が検出されれば（Ｓ９０３でＹＥＳ）、印字制御ルーチン（Ｓ９０４）に入る。印字要求がなければ（Ｓ９０３でＮＯ）、コマンド待ちの状態が維持される（Ｓ９０２）。印字制御ルーチン（Ｓ９０４）では、ＣＰＵ２０４からの印字要求とともに送られた解像度や階調性などの印字モードで印字処理が行われる。その後、ＣＰＵ２０４から送られた画像データがプリンタ装置ＰＲに送られプリントが行われた後、ＣＰＵ２０４へ印字終了回答が送られる。これらの処理の後、再びコマンド待ちの状態となる（Ｓ９０２）。
【００８８】
（４−４）ＣＰＵ２０４の制御フロー
制御部２００に対するＣＰＵ２０４の制御の流れを表すフローチャートを図１０に示す。制御部２００では、電源投入後、ＲＯＭ２１４に登録されたプログラムによる初期化が行われる（Ｓ１００１）。その後、操作入力装置ＯＰを制御するＣＰＵ２０１からのコマンドが入力されると（Ｓ１００２）、そのコマンドがコピー関連のものであるか（Ｓ１００３）、プリント関連のものであるか（Ｓ１００４）、それ以外のファクシミリ送信関連等のものであるか（Ｓ１００５）が判断される。その判断に応じて、それぞれ、コピー関連処理（Ｓ１００６）、プリント関連処理（Ｓ１００７）、それ以外のファクシミリ送信関連処理等（Ｓ１００８）が行われる。これらの処理の中で、ＣＰＵ２０４はそれぞれの処理等を制御するＣＰＵ２０１〜ＣＰＵ２０３に対して、スキャン要求、印字要求、画像データのやり取り等を行い、また、これらのＣＰＵから、スキャン終了回答、印字終了回答等を受ける。
【００８９】
また、その後、電話回線（ＰＳＴＮ）からＧ３ユニット１００にファクシミリ受信があれば、画像データを受信する受信制御ルーチン（Ｓ１００９）で処理がなされる。この処理を終えた後、受信画像処理ルーチン（Ｓ１０１０）で受信画像出力がなされる。また、エラーの発生やファクシミリ通信管理レポート等の出力の必要が生じたときは、レポート処理ルーチン（Ｓ１０１１）で処理がなされる。これらの処理の後、再びコマンド待ちの状態となる（Ｓ１００２）。
【００９０】
図１１を参照して、図１０中の受信画像処理ルーチン（Ｓ１０１０）の処理フローについて説明する。まず、受信画像出力タイミングであるか否かが判断される（Ｓ１１０１）。受信画像出力タイミングではないと判断されると（Ｓ１１０１でＮＯ）、ＣＰＵ２０４は本ルーチンを終了する。受信画像出力タイミングであると判断されると（Ｓ１１０１でＹＥＳ）、受信画像出力要求がＣＰＵ２０１に出力される（Ｓ１１０２）。続いて、コマンド入力（Ｓ１１０３）によってＣＰＵ２０４に受信画像出力許可が取り込まれると（Ｓ１１０４でＹＥＳ）、印字要求がＣＰＵ２０３に対して出力される（Ｓ１１０５）。受信画像出力許可が入力されないならば（Ｓ１１０４でＮＯ）、ＣＰＵ２０４は本ルーチンを終了する。
【００９１】
印字要求の後、印刷が終了すれば（Ｓ１１０６）、次頁があるか否かが判断される（Ｓ１１０７）。次頁があるならば（Ｓ１１０７でＹＥＳ）、受信画像出力要求（Ｓ１１０２）に戻って、後続の処理が繰り返される。次頁がないならば（Ｓ１１０７でＮＯ）、ＣＰＵ２０４は本ルーチンを終了する。
【００９２】
なお、上記実施の形態では、ファクシミリ受信データがメモリされた時点においてオートプリントを開始する場合について説明したが、これに限らず、外部コンピュータからの受信データ等を受けてオートプリントを開始する場合や、画像安定化等のためにコピー操作およびコピーの実行禁止処理の実行を開始する場合にも、本発明が適用できる。
【００９３】
【発明の効果】
以上より明らかなように、この発明の画像形成装置によれば、変更手段が、操作手段における操作状況と本装置の動作状態に応じて、非操作処理禁止時間を変更するので、オートプリントのような非操作処理の実行を適切に禁止できる。
【図面の簡単な説明】
【図１】本発明の一実施形態であるデジタル複写機１の概略構成を示す断面図である。
【図２】図１のデジタル複写機１の操作入力装置ＯＰの構成を示す平面図である。
【図３】制御部２００のブロック図である。
【図４】コピー動作における各ＣＰＵ間でのコマンド、画像データの授受の様子を示す図である。
【図５】ファクシミリ受信動作による各ＣＰＵ間でのコマンド、画像データの授受の様子を示す図である。
【図６】ＣＰＵ２０１が実行する制御の手順を示すメインルーチンのフローチャートの一部である。
【図７】ＣＰＵ２０１が実行する制御の手順を示すメインルーチンのフローチャートの残り部分である。
【図８】ＣＰＵ２０２が実行する制御の手順を示すメインルーチンのフローチャートである。
【図９】ＣＰＵ２０３が実行する制御の手順を示すメインルーチンのフローチャートである。
【図１０】ＣＰＵ２０４が実行する制御の手順を示すメインルーチンのフローチャートである。
【図１１】図１０に示されるステップＳ１０１０の受信画像処理のサブルーチンでの手順を示すフローチャートである。
【符号の説明】
１  デジタル複写機
２００  制御部
２０１〜２０４  ＣＰＵ
ＡＤＦ  原稿給送装置
ＩＲ  画像読取袋置
ＰＲ  プリンタ装置
ＦＡＸ  ファクシミリ送受信装置
ＯＰ  操作入力装置
【図１】
0003598772.tif 000002
【図２】
0003598772.tif 000003
【図３】
0003598772.tif 000004
【図４】
0003598772.tif 000005
【図５】
0003598772.tif 000006
【図６】
0003598772.tif 000007
【図７】
0003598772.tif 000008
【図８】
0003598772.tif 000009
【図９】
0003598772.tif 000010
【図１０】
0003598772.tif 000011
【図１１】
0003598772.tif 000012